(57)【要約】【課題】どのユーザが予約した番組かを容易にユーザに把握させる。【解決手段】テレビ１は、番組指定情報をユーザ識別情報と共に受信する番組指定情報受信部１２５と、ユーザ識別画像をユーザ識別情報と関連付けて受信するユーザ識別情報受信部１２１と、番組指定情報により指定された番組に関連付けて、番組指定情報と共に受信したユーザ識別情報に関連付けられたユーザ識別画像を、電子番組表に表示する映像処理部１０３とを備えている。【選択図】図１
2014003552.tif 000002
【特許請求の範囲】
【請求項１】
電子番組表を表示する電子番組表表示装置であって、
上記電子番組表に掲載された番組の何れかを選択するユーザ操作に応じて、当該電子番組表表示装置を遠隔制御する携帯型情報端末から送信される番組指定情報であって、当該ユーザ操作により選択された番組を指定する番組指定情報を、上記携帯型情報端末から送信されるユーザ識別情報であって、当該ユーザ操作を行ったユーザを他のユーザと識別するためのユーザ識別情報と共に受信する番組指定情報受信手段と、
上記携帯型情報端末から送信されるユーザ識別画像であって、上記ユーザ操作を行ったユーザを他のユーザと識別するためのユーザ識別画像を、上記ユーザ識別情報と関連付けて受信するユーザ識別情報受信手段と、
上記電子番組表を表示する電子番組表表示手段であって、上記番組指定情報により指定された番組に関連付けて、上記番組指定情報と共に受信したユーザ識別情報に関連付けられたユーザ識別画像を表示する電子番組表表示手段と、を備えていることを特徴とする電子番組表表示装置。
【請求項２】
上記ユーザ識別画像は、上記携帯型情報端末が管理するアドレス帳に登録された画像である、ことを特徴とする請求項１に記載の電子番組表表示装置。
【請求項３】
上記ユーザ識別情報は、上記ユーザ操作が行われた携帯型情報端末を他の通信機器と識別するための装置識別情報に、当該携帯型情報端末を操作するユーザを他のユーザと識別するための識別子を付加したものであることを特徴とする請求項１または２に記載の電子番組表表示装置。
【請求項４】
上記装置識別情報は、ＭＡＣ（Ｍｅｄｉａ  Ａｃｃｅｓｓ  Ｃｏｎｔｒｏｌ）アドレスおよびＩＣＣＩＤ（Ｉｎｔｅｇｒａｔｅｄ  Ｃｉｒｃｕｉｔ  Ｃａｒｄ  ＩＤ）のうち少なくとも何れか一方であることを特徴とする請求項３に記載の電子番組表表示装置。
【請求項５】
上記番組指定情報には、当該番組の重要度を示す重要度情報が含まれており、
上記電子番組表表示手段は、上記番組指定情報により指定された番組に関連付けて、上記重要度情報が示す当該番組の重要度を表示することを特徴とする請求項１から４の何れか１項に記載の電子番組表表示装置。
【請求項６】
上記番組指定情報により指定された番組を一覧表示する一覧表示手段を更に備え、
上記一覧表示手段は、上記番組指定情報と共に受信したユーザ識別情報に関連付けられたユーザ識別画像を一覧表示された上記番組のそれぞれに関連付けて表示することを特徴とする請求項１から５の何れか１項に記載の電子番組表表示装置。
【請求項７】
上記電子番組表表示装置は、内蔵又は接続されたディスプレイに電子番組表を表示するテレビジョン受像機であることを特徴とする請求項１から６の何れか１項に記載の電子番組表表示装置。
【請求項８】
上記電子番組表表示装置は、接続されたディスプレイに電子番組表を表示するレコーダであることを特徴とする請求項１から６の何れか１項に記載の電子番組表表示装置。
【請求項９】
電子番組表を表示する電子番組表表示装置を遠隔制御する携帯型情報端末であって、
上記電子番組表に掲載された番組の何れかを選択するユーザ操作に応じて、当該ユーザ操作により選択された番組を指定する番組指定情報を、当該ユーザ操作を行ったユーザを他のユーザと識別するためのユーザ識別情報と共に上記電子番組表表示装置に送信する番組指定情報送信手段と、
上記ユーザ操作を行ったユーザを他のユーザと識別するための画像として、当該携帯型情報端末に予め登録されたユーザ識別画像を、上記ユーザ識別情報と関連付けて上記電子番組表表示装置に送信するユーザ識別画像送信手段と、を備えていることを特徴とする携帯型情報端末。
【請求項１０】
上記ユーザ識別画像は、当該携帯型情報端末が管理するアドレス帳に登録された画像である、ことを特徴とする請求項９に記載の携帯型情報端末。
【請求項１１】
電子番組表を表示する電子番組表表示装置の制御方法であって、
上記電子番組表に掲載された番組の何れかを選択するユーザ操作に応じて、当該電子番組表表示装置を遠隔制御する携帯型情報端末から送信される番組指定情報であって、当該ユーザ操作により選択された番組を指定する番組指定情報を、上記携帯型情報端末から送信されるユーザ識別情報であって、当該ユーザ操作を行ったユーザを他のユーザと識別するためのユーザ識別情報と共に受信する番組指定情報受信工程と、
上記携帯型情報端末から送信されるユーザ識別画像であって、上記ユーザ操作を行ったユーザを他のユーザと識別するためのユーザ識別画像を、上記ユーザ識別情報と関連付けて受信するユーザ識別情報受信工程と、
上記電子番組表を表示する電子番組表表示工程であって、上記番組指定情報により指定された番組に関連付けて、上記番組指定情報と共に受信したユーザ識別情報に関連付けられたユーザ識別画像を表示する電子番組表表示工程と、を含んでいることを特徴とする電子番組表表示装置の制御方法。
【請求項１２】
電子番組表を表示する電子番組表表示装置を遠隔制御する携帯型情報端末の制御方法であって、
上記電子番組表に掲載された番組の何れかを選択するユーザ操作に応じて、当該ユーザ操作により選択された番組を指定する番組指定情報を、当該ユーザ操作を行ったユーザを他のユーザと識別するためのユーザ識別情報と共に上記電子番組表表示装置に送信する番組指定情報送信工程と、
上記ユーザ操作を行ったユーザを他のユーザと識別するための画像として、当該携帯型情報端末に予め登録されたユーザ識別画像を、上記ユーザ識別情報と関連付けて上記電子番組表表示装置に送信するユーザ識別画像送信工程と、を含んでいることを特徴とする携帯型情報端末の制御方法。
【請求項１３】
請求項１から８の何れか１項に記載の電子番組表表示装置と請求項９または１０に記載の携帯型情報端末とを備えることを特徴とするシステム。
【請求項１４】
請求項１から８の何れか１項に記載の電子番組表表示装置を動作させるためのプログラムであって、上記電子番組表表示装置が備えるコンピュータを、上記電子番組表表示装置が備える上記各手段として機能させることを特徴とするプログラム。
【請求項１５】
請求項１４に記載のプログラムが記録されたコンピュータ読み取り可能な記録媒体。
【請求項１６】
請求項９または１０に記載の携帯型情報端末を動作させるためのプログラムであって、上記携帯型情報端末が備えるコンピュータを、上記携帯型情報端末が備える上記各手段として機能させることを特徴とするプログラム。
【請求項１７】
請求項１６に記載のプログラムが記録されたコンピュータ読み取り可能な記録媒体。
【請求項１８】
電子番組表を表示する電子番組表表示装置であって、
上記電子番組表に掲載された番組の何れかを選択するユーザ操作に応じて、当該電子番組表表示装置を遠隔制御する携帯型情報端末から送信される番組指定情報であって、当該ユーザ操作により選択された番組を指定する番組指定情報を、上記携帯型情報端末から送信されるユーザ識別情報であって、当該ユーザ操作を行ったユーザを他のユーザと識別するためのユーザ識別情報と共に受信する番組指定情報受信手段と、
上記携帯型情報端末から送信されるユーザ識別画像であって、上記ユーザ操作を行ったユーザを他のユーザと識別するためのユーザ識別画像を、上記ユーザ識別情報と関連付けて受信するユーザ識別情報受信手段と、
上記電子番組表を表示する電子番組表表示手段であって、上記番組指定情報により指定された番組に関連付けて、上記番組指定情報と共に受信したユーザ識別情報に関連付けられたユーザ識別画像を表示する電子番組表表示手段と、を備えており、
上記番組指定情報には、当該番組の重要度を示す重要度情報が含まれており、
上記電子番組表表示手段は、上記番組指定情報により指定された番組に関連付けて、上記重要度情報が示す当該番組の重要度を表示し、
上記番組指定情報により指定された番組を一覧表示する一覧表示手段を更に備え、
上記一覧表示手段は、上記番組指定情報と共に受信したユーザ識別情報に関連付けられたユーザ識別画像を一覧表示された上記番組のそれぞれに関連付けて表示することを特徴とする電子番組表表示装置。
【発明の詳細な説明】
【技術分野】
【０００１】
本発明は、携帯型情報端末によって遠隔制御される電子番組表表示装置に関する。また、このような電子番組表表示装置を遠隔制御する携帯型情報端末に関する。
【背景技術】
【０００２】
昨今、販売されているテレビジョン受像機（以下「テレビ」と略記）のほとんどには、電子番組表を表示する機能が搭載されている。ユーザは、電子番組表の番組セルを選択することにより、選局、視聴予約、録画予約等の操作を行うことができる。
【０００３】
特許文献１には、録画予約者を示した録画予約アイコンを電子番組表内の録画対象番組と関連付けて表示する記録再生装置が開示されている。
【０００４】
また、近年では、スマートフォンなどの情報端末（特に携帯型情報端末）が急速に普及しており、これらの情報端末を利用したテレビの遠隔操作に注目が集まっている。特許文献２には、このような情報端末を用いて入力した予約情報と、新聞や雑誌等の番組表欄の予約対象番組を、当該情報端末を用いて撮影したイメージ画像とをテレビに送信することにより、テレビに表示された電子番組表の対応領域にイメージ画像を貼り付ける電子番組表作成装置が開示されている。
【０００５】
また、特許文献３には、情報端末装置のデバイス名やパスキー等の端末識別情報を付与した録画予約情報を、情報端末装置から受信し、予約情報に当該情報端末装置のユーザのマークをつけて放送録画予約情報リストとして記録する録画装置が開示されている。
【０００６】
また、特許文献４には、携帯電話から録画指示を行った場合、どの携帯電話からの録画指示かを判別する録画再生装置が開示されている。
【先行技術文献】
【特許文献】
【０００７】
【特許文献１】特許第４４５８４８０号公報（２０１０年４月２８日発行）
【特許文献２】特許第４３１７４８９号公報（２００９年８月１９日発行）
【特許文献３】特開２００５−２１７８４６号公報（２００５年８月１１日公開）
【特許文献４】特開２０１１−９１８１８号公報（２０１１年５月６日公開）
【発明の概要】
【発明が解決しようとする課題】
【０００８】
しかしながら、上述のような従来技術では、誰がどの番組の予約を行ったのかを一見して把握させることについて、改善の余地がある。
【０００９】
例えば、特許文献１および３の技術では、電子番組表や放送録画予約情報リストに付与するマークは、当該電子番組表等を表示する側の装置に依存する。例えば、お父さんの顔を模した顔アイコンを表示する場合、当該顔アイコンを上記装置側で作りこむ必要がある。また、当該電子番組表を利用するユーザは、複数の顔アイコンのそれぞれが誰を指しているのかを対応付けて覚えておく必要があり、例えば、お父さんの顔を模した顔アイコンがお父さんを示していることを知らない場合、誰が番組を予約しているのか把握できない場合がある。
【００１０】
本発明は上記課題に鑑みてなされたものであり、その目的は、情報端末を用いてテレビを遠隔操作するシステムにおいて、従来よりもどのユーザが予約した番組かを容易にユーザに把握させる電子番組表表示装置および当該電子番組表表示装置を遠隔制御する携帯型情報端末を実現することにある。
【課題を解決するための手段】
【００１１】
上記の課題を解決するために、本発明における電子番組表表示装置は、電子番組表を表示する電子番組表表示装置であって、上記電子番組表に掲載された番組の何れかを選択するユーザ操作に応じて、当該電子番組表表示装置を遠隔制御する携帯型情報端末から送信される番組指定情報であって、当該ユーザ操作により選択された番組を指定する番組指定情報を、上記携帯型情報端末から送信されるユーザ識別情報であって、当該ユーザ操作を行ったユーザを他のユーザと識別するためのユーザ識別情報と共に受信する番組指定情報受信手段と、上記携帯型情報端末から送信されるユーザ識別画像であって、上記ユーザ操作を行ったユーザを他のユーザと識別するためのユーザ識別画像を、上記ユーザ識別情報と関連付けて受信するユーザ識別情報受信手段と、上記電子番組表を表示する電子番組表表示手段であって、上記番組指定情報により指定された番組に関連付けて、上記番組指定情報と共に受信したユーザ識別情報に関連付けられたユーザ識別画像を表示する電子番組表表示手段と、を備えていることを特徴としている。
【００１２】
また、上記の課題を解決するために、本発明における電子番組表表示装置の制御方法は、電子番組表を表示する電子番組表表示装置の制御方法であって、上記電子番組表に掲載された番組の何れかを選択するユーザ操作に応じて、当該電子番組表表示装置を遠隔制御する携帯型情報端末から送信される番組指定情報であって、当該ユーザ操作により選択された番組を指定する番組指定情報を、上記携帯型情報端末から送信されるユーザ識別情報であって、当該ユーザ操作を行ったユーザを他のユーザと識別するためのユーザ識別情報と共に受信する番組指定情報受信工程と、上記携帯型情報端末から送信されるユーザ識別画像であって、上記ユーザ操作を行ったユーザを他のユーザと識別するためのユーザ識別画像を、上記ユーザ識別情報と関連付けて受信するユーザ識別情報受信工程と、上記電子番組表を表示する電子番組表表示工程であって、上記番組指定情報により指定された番組に関連付けて、上記番組指定情報と共に受信したユーザ識別情報に関連付けられたユーザ識別画像を表示する電子番組表表示工程と、を含んでいることを特徴としている。
【００１３】
上記構成によれば、上記番組指定情報受信手段は、当該電子番組表表示装置を遠隔制御する携帯型情報端末からユーザ操作を行ったユーザのユーザ識別情報と共に番組指定情報を受信する。また、上記ユーザ識別情報受信手段は、ユーザ識別情報に関連付けて、ユーザ識別画像を受信する。上記電子番組表表示手段は、上記番組指定情報受信手段が受信した番組指定情報と共に受信したユーザ識別情報に関連付けられたユーザ識別画像を電子番組表における番組であって、上記番組指定情報により指定された番組に関連付けて表示する。
【００１４】
これにより、例えば、電子番組表に表示された番組のうち、ユーザが指定した番組を録画予約する場合、電子番組表表示装置は、携帯型情報端末から送信されたユーザ識別画像であって、当該番組を指定したユーザを識別するユーザ識別画像を電子番組表におけるユーザが指定した番組に関連付けて表示することができる。
【００１５】
したがって、上記電子番組表表示装置は、当該番組を指定したユーザを容易にユーザに把握させることができるという効果を奏する。
【００１６】
また、上記構成によれば、上記電子番組表表示装置は、上記携帯型情報端末から送信されたユーザ識別画像を用いるため、上記電子番組表表示装置がユーザを識別するための画像やマークを作成するといった処理を削減することができる。
【００１７】
また、上記電子番組表表示装置における上記ユーザ識別画像は、上記携帯型情報端末が管理するアドレス帳に登録された画像である、ことが好ましい。
【００１８】
上記構成によれば、上記電子番組表表示装置は、上記携帯型情報端末で管理されたアドレス帳に登録された画像を電子番組表に表示することができる。したがって、より好適に上記番組を指定したユーザを容易にユーザに把握させることができる。
【００１９】
また、上記電子番組表表示装置における上記ユーザ識別情報は、上記ユーザ操作が行われた携帯型情報端末を他の通信機器と識別するための装置識別情報に、当該携帯型情報端末を操作するユーザを他のユーザと識別するための識別子を付加したものであることが好ましい。また、上記装置識別情報は、ＭＡＣ（Ｍｅｄｉａ  Ａｃｃｅｓｓ  Ｃｏｎｔｒｏｌ）アドレスおよびＩＣＣＩＤ（Ｉｎｔｅｇｒａｔｅｄ  Ｃｉｒｃｕｉｔ  Ｃａｒｄ  ＩＤ）のうち少なくとも何れか一方であることが好ましい。
【００２０】
上記構成によれば、上記識別子を付与した装置識別情報は、上記携帯型情報端末において、一意となる。したがって、上記携帯型情報端末に複数のユーザ識別情報が登録されている場合であっても、どのユーザがユーザ操作を行ったユーザであるかを判別することができる。
【００２１】
また、上記電子番組表表示装置における上記番組指定情報には、当該番組の重要度を示す重要度情報が含まれており、上記電子番組表表示手段は、上記番組指定情報により指定された番組に関連付けて、上記重要度情報が示す当該番組の重要度を表示することが好ましい。
【００２２】
上記構成によれば、電子番組表表示装置は、携帯型情報端末から送信された重要度情報が示す番組の重要度を、電子番組表におけるユーザが指定した番組に関連付けて表示することができる。したがって、当該番組の重要度を容易にユーザに把握させることができる。
【００２３】
また、上記電子番組表表示装置は、上記番組指定情報により指定された番組を一覧表示する一覧表示手段を更に備え、上記一覧表示手段は、上記番組指定情報と共に受信したユーザ識別情報に関連付けられたユーザ識別画像を一覧表示された上記番組のそれぞれに関連付けて表示することが好ましい。
【００２４】
上記構成によれば、上記電子番組表表示装置は、電子番組表に加え、ユーザが指定した番組の一覧をユーザ識別画像と共に表示することができる。これにより、より好適にユーザが指定した番組を、容易にユーザに把握させることができる。
【００２５】
また、上記電子番組表表示装置は、内蔵又は接続されたディスプレイに電子番組表を表示するテレビジョン受像機であってもよいし、接続されたディスプレイに電子番組表を表示するレコーダであってもよい。
【００２６】
上記の課題を解決するために、本発明における携帯型情報端末は、電子番組表を表示する電子番組表表示装置を遠隔制御する携帯型情報端末であって、上記電子番組表に掲載された番組の何れかを選択するユーザ操作に応じて、当該ユーザ操作により選択された番組を指定する番組指定情報を、当該ユーザ操作を行ったユーザを他のユーザと識別するためのユーザ識別情報と共に上記電子番組表表示装置に送信する番組指定情報送信手段と、上記ユーザ操作を行ったユーザを他のユーザと識別するための画像として、当該携帯型情報端末に予め登録されたユーザ識別画像を、上記ユーザ識別情報と関連付けて上記電子番組表表示装置に送信するユーザ識別画像送信手段と、を備えていることを特徴としている。
【００２７】
また、上記の課題を解決するために、本発明における携帯型情報端末の制御方法は、電子番組表を表示する電子番組表表示装置を遠隔制御する携帯型情報端末の制御方法であって、上記電子番組表に掲載された番組の何れかを選択するユーザ操作に応じて、当該ユーザ操作により選択された番組を指定する番組指定情報を、当該ユーザ操作を行ったユーザを他のユーザと識別するためのユーザ識別情報と共に上記電子番組表表示装置に送信する番組指定情報送信工程と、上記ユーザ操作を行ったユーザを他のユーザと識別するための画像として、当該携帯型情報端末に予め登録されたユーザ識別画像を、上記ユーザ識別情報と関連付けて上記電子番組表表示装置に送信するユーザ識別画像送信工程と、を含んでいることを特徴としている。
【００２８】
上記構成によれば、上記番組指定情報送信手段は、上記電子番組表表示装置を遠隔制御するために、ユーザ操作により選択された番組を指定する番組指定情報を、当該ユーザ操作を行ったユーザを他のユーザと識別するためのユーザ識別情報と共に上記電子番組表表示装置に送信する。また、上記ユーザ識別画像送信手段は、ユーザ識別画像を、上記ユーザ識別情報と関連付けて上記電子番組表表示装置に送信する。
【００２９】
例えば、電子番組表に表示された番組のうち、ユーザが指定した番組を録画予約する場合、上記携帯型情報端末は、上記電子番組表表示装置に当該録画予約を行ったユーザのユーザ識別画像を特定させることができる。
【００３０】
したがって、上記携帯型情報端末は、上記電子番組表表示装置に、当該番組を指定したユーザを容易に特定させることができる。
【００３１】
また、上記携帯型情報端末における上記ユーザ識別画像は、当該携帯型情報端末が管理するアドレス帳に登録された画像である、ことが好ましい。
【００３２】
上記構成によれば、上記携帯型情報端末は、当該携帯型情報端末が管理するアドレス帳に登録された画像を電子番組表表示装置に送信することができる。したがって、より簡単に上記番組を指定したユーザを識別するユーザ識別画像を上記電子番組表表示装置に送信することができる。
【００３３】
また、上記電子番組表表示装置と上記携帯型情報端末とを備えることを特徴とするシステムも本発明の範疇に含まれる。
【００３４】
また、上記電子番組表表示装置を動作させるためのプログラムであって、上記電子番組表表示装置が備えるコンピュータを、上記電子番組表表示装置が備える上記各手段として機能させるプログラムおよび上記プログラムが記録されたコンピュータ読み取り可能な記録媒体も本発明の範疇に含まれる。
【００３５】
また、上記携帯型情報端末を動作させるためのプログラムであって、上記携帯型情報端末が備えるコンピュータを、上記携帯型情報端末が備える上記各手段として機能させるプログラムおよび上記プログラムが記録されたコンピュータ読み取り可能な記録媒体も本発明の範疇に含まれる。
【００３６】
上記課題を解決するために、本発明における電子番組表表示装置は、電子番組表を表示する電子番組表表示装置であって、上記電子番組表に掲載された番組の何れかを選択するユーザ操作に応じて、当該電子番組表表示装置を遠隔制御する携帯型情報端末から送信される番組指定情報であって、当該ユーザ操作により選択された番組を指定する番組指定情報を、上記携帯型情報端末から送信されるユーザ識別情報であって、当該ユーザ操作を行ったユーザを他のユーザと識別するためのユーザ識別情報と共に受信する番組指定情報受信手段と、上記携帯型情報端末から送信されるユーザ識別画像であって、上記ユーザ操作を行ったユーザを他のユーザと識別するためのユーザ識別画像を、上記ユーザ識別情報と関連付けて受信するユーザ識別情報受信手段と、上記電子番組表を表示する電子番組表表示手段であって、上記番組指定情報により指定された番組に関連付けて、上記番組指定情報と共に受信したユーザ識別情報に関連付けられたユーザ識別画像を表示する電子番組表表示手段と、を備えており、上記番組指定情報には、当該番組の重要度を示す重要度情報が含まれており、上記電子番組表表示手段は、上記番組指定情報により指定された番組に関連付けて、上記重要度情報が示す当該番組の重要度を表示し、上記番組指定情報により指定された番組を一覧表示する一覧表示手段を更に備え、上記一覧表示手段は、上記番組指定情報と共に受信したユーザ識別情報に関連付けられたユーザ識別画像を一覧表示された上記番組のそれぞれに関連付けて表示することを特徴としている。
【発明の効果】
【００３７】
本発明における電子番組表表示装置は、電子番組表を表示する電子番組表表示装置であって、上記電子番組表に掲載された番組の何れかを選択するユーザ操作に応じて、当該電子番組表表示装置を遠隔制御する携帯型情報端末から送信される番組指定情報であって、当該ユーザ操作により選択された番組を指定する番組指定情報を、上記携帯型情報端末から送信されるユーザ識別情報であって、当該ユーザ操作を行ったユーザを他のユーザと識別するためのユーザ識別情報と共に受信する番組指定情報受信手段と、上記携帯型情報端末から送信されるユーザ識別画像であって、上記ユーザ操作を行ったユーザを他のユーザと識別するためのユーザ識別画像を、上記ユーザ識別情報と関連付けて受信するユーザ識別情報受信手段と、上記電子番組表を表示する電子番組表表示手段であって、上記番組指定情報により指定された番組に関連付けて、上記番組指定情報と共に受信したユーザ識別情報に関連付けられたユーザ識別画像を表示する電子番組表表示手段と、を備えていることを特徴としている。
【００３８】
したがって、上記電子番組表表示装置は、当該番組を指定したユーザを容易にユーザに把握させることができるという効果を奏する。
【００３９】
また、本発明における携帯型情報端末は、電子番組表を表示する電子番組表表示装置を遠隔制御する携帯型情報端末であって、上記電子番組表に掲載された番組の何れかを選択するユーザ操作に応じて、当該ユーザ操作により選択された番組を指定する番組指定情報を、当該ユーザ操作を行ったユーザを他のユーザと識別するためのユーザ識別情報と共に上記電子番組表表示装置に送信する番組指定情報送信手段と、上記ユーザ操作を行ったユーザを他のユーザと識別するための画像として、当該携帯型情報端末に予め登録されたユーザ識別画像を、上記ユーザ識別情報と関連付けて上記電子番組表表示装置に送信するユーザ識別画像送信手段と、を備えていることを特徴としている。
【００４０】
したがって、上記携帯型情報端末は、上記電子番組表表示装置に、当該番組を指定したユーザを容易に特定させることができる。
【図面の簡単な説明】
【００４１】
【図１】テレビの制御部及びスマートフォンの制御部の機能構成を示した機能ブロック図である。
【図２】テレビのハードウェア構成を示したブロック図である。
【図３】スマートフォンのハードウェア構成を示すブロック図である。
【図４】システムの構成を示すブロック図である。
【図５】システムにおけるテレビおよびスマートフォンの予約処理の流れを示すシーケンス図である。
【図６】スマートフォンのユーザ識別情報登録部が登録したユーザ識別情報の一例を示す図である。
【図７】テレビのユーザ識別情報登録部が登録したユーザ識別情報の一例を示す図である。
【図８】テレビに表示される電子番組表であって、予約処理が行われた後の電子番組表の一例を示す図である。
【図９】テレビに表示される電子番組表であって、予約処理が行われた後の電子番組表の他の例を示す図である。
【図１０】予約重要度符号データベースの一例を示す図である。
【発明を実施するための形態】
【００４２】
（システムの構成）
まず、本実施形態に係るシステム１０について、図４を参照して説明する。図４は、システム１０の構成を示すブロック図である。
【００４３】
システム１０は、図４に示すように、テレビジョン受像機（以下「テレビ」と略記）１、及び、スマートフォン（携帯型情報端末）２を含む。システム１０において、スマートフォン２は、テレビ１を操作（遠隔制御）するためのリモコンとして機能する。
【００４４】
スマートフォン２は、図４に示すように、無線ルータ３を介してＬＡＮ（Local Area Network）に接続され、このＬＡＮに含まれるテレビ１とＩＰ（Internet Protocol）通信を行う。スマートフォン２によるテレビ１の操作は、このＩＰ通信を用いて行われる。なお、スマートフォン２と無線ルータ３との間の無線通信をサポートする通信規格としては、ＩＥＥＥ８０２．１１シリーズなどが挙げられる。
【００４５】
テレビ（電子番組表表示装置）１は、ＬＡＮに接続されたメディアサーバ４、並びに、インターネットに接続されたＷＥＢサーバ６及びＶＯＤサーバ７ともＩＰ通信を行う。これにより、テレビ１は、地上波デジタル放送、ＢＳ放送、又はＣＳ放送により放送された放送コンテンツに加えて、メディアサーバ４から提供されたメディアコンテンツ、ＷＥＢサーバ６から提供されたＷＥＢコンテンツ、及び、ＶＯＤサーバ７から提供されたＶＯＤコンテンツを再生することができる。
【００４６】
また、テレビ１には、ソース機器５をＨＤＭＩ接続することができる。これにより、テレビ１は、ソース機器５から供給されたコンテンツを再生することができる。テレビ１に接続可能なソース機器５としては、例えば、プレーヤ、レコーダ、携帯電話端末などが挙げられる。更に、テレビ１には、ハードディスクドライブや光ディスクドライブなどの記録装置を内蔵し得る。この場合、テレビ１は、内蔵記録装置に記録された録画コンテンツを再生することができる。
【００４７】
なお、本実施形態においては、スマートフォン２をテレビ１のリモコンとして利用する構成を示したが、これに限定されるものではない。すなわち、タブレット型ＰＣや電子ブックリーダなど、タッチパネルを有する情報端末であれば、どのような情報端末であっても、テレビ１のリモコンとして利用することができる。
【００４８】
また、本実施形態においては、テレビ１がスマートフォン２を利用して操作される構成を示したが、これに限定されるものではない。テレビ１は、スマートフォン２にて操作される機器の一例に過ぎず、例えば、ディスプレイと接続しているレコーダなど他の機器に置換可能である。
【００４９】
また、本実施形態においては、テレビ１とスマートフォン２とが無線ルータ３を介して無線通信する構成を示したが、これに限定されるものではない。例えば、テレビ１が無線ＬＡＮ用の通信インタフェースを備えている場合には、テレビ１とスマートフォン２とが無線ルータ３を介さずに無線通信する構成を採用してもよい。
【００５０】
更に、テレビ１とスマートフォン２との間の無線通信をサポートする通信規格もＩＥＥＥ８０２．１１シリーズ（「ＷｉＦｉ」と呼称されることもある）に限定されない。例えば、ＩＥＥＥ８０２．１５．１（「Ｂｌｕｅｔｏｏｔｈ（登録商標）」と呼称されることもある）、ＩＥＥＥ８０２．１５．４（「ＺｉｇＢｅｅ（登録商標）」と呼称されることもある）などを用いてもよい。また、無線通信に代えて双方向の赤外線通信を用いてもよいし、通信規格も独自仕様のものを用いても良い。すなわち、本発明は特定の通信手段や通信規格に拘泥するものではない。
【００５１】
（テレビのハードウェア構成）
次に、テレビ１の構成について、図２を参照して説明する。図２は、テレビ１のハードウェア構成を示したブロック図である。
【００５２】
テレビ１は、電子番組表を表示する装置である。テレビ１は、図２に示すように、チューナ１０１、ビデオデコーダ１０２、映像処理部（電子番組表表示手段、一覧表示手段）１０３、ＬＣＤ（liquid crystal display）コントローラ１０４、ＬＣＤ１０５、オーディオデコーダ１０６、音声処理部１０７、アンプ１０８、スピーカ１０９、ＨＤＭＩレシーバ１１０、電源部１１１、ＬＡＮインタフェース１１２、及び制御部１２０を備えている。
【００５３】
チューナ１０１は、地上波デジタル放送、ＢＳ放送、又はＣＳ放送の放送波から符号化映像信号と符号化音声信号とを復調する。ビデオデコーダ１０２は、チューナ１０１にて復調された符号化映像信号を復号する。ビデオデコーダ１０２にて復号された映像信号は、映像処理部１０３を介してＬＣＤコントローラ１０４に供給される。ＬＣＤコントローラ１０４は、映像処理部１０３により処理された映像信号が表す映像を表示するべく、ＬＣＤ１０５を制御する。オーディオデコーダ１０６は、チューナ１０１にて復調された符号化音声信号を復号する。オーディオデコーダ１０６にて復号された音声信号は、音声処理部１０７を介してアンプ１０８に供給される。アンプ１０８は、音声処理部１０７により処理された音声信号が表す音声を出力すべく、スピーカ１０９を駆動する。
【００５４】
ＨＤＭＩレシーバ１１０は、ソース機器５から供給された映像信号及び音声信号を受信する。ＨＤＭＩレシーバ１１０により受信された映像信号及び音声信号は、それぞれ、映像処理部１０３及び音声処理部１０７に供給され、チューナ１０１により復調された映像信号及び音声信号と同様、ＬＣＤ１０５及びスピーカ１０９から出力される。
【００５５】
また、ＬＡＮインタフェース１１２は、メディアサーバ４、ＷＥＢサーバ６、及びＶＯＤサーバ７から、それぞれ、メディアコンテンツ、ＷＥＢコンテンツ、及びＶＯＤコンテンツを取得する。これらのネットワークコンテンツは、何れも、制御部１２０にてソフトウェア的にデコードされる。制御部１２０にてデコードされたコンテンツを表す映像信号及び音声信号は、それぞれ、映像処理部１０３及び音声処理部１０７に供給され、チューナ１０１により復調された映像信号及び音声信号と同様、ＬＣＤ１０５及びスピーカ１０９から出力される。
【００５６】
なお、ＬＡＮインタフェース１１２／制御部１２０については、参照する図面を代えて後で詳述する。
【００５７】
なお、制御部１２０は、ＣＰＵ（Central Processing Unit）、ＲＯＭ（Read Only Memory）、ＲＡＭ（Random Access Memory）等を備えて構成されており、ＲＯＭ、ＲＡＭ等に記録されているプログラムをＣＰＵが実行することにより、上述した各機能を実現する。
【００５８】
電源部１１１は、上記各部に電力を供給する。電源部１１１の動作モードには、通常モードとスタンバイモードとがある。ここで、通常モードは、上述したブロックの全てに電力を供給する動作モードであり、スタンバイモードは、ＬＡＮインタフェース１１２及び制御部１２０のみに電力を供給する動作モードである。
【００５９】
（スマートフォンのハードウェア構成）
次に、スマートフォン２のハードウェア構成について、図３を参照して説明する。図３は、スマートフォン２のハードウェア構成を示すブロック図である。
【００６０】
スマートフォン２は、図２に示すように、タッチパネル２０１、タッチパネルコントローラ２０２、スピーカ２０３、アンプ２０４、無線ＬＡＮインタフェース２０５、無線ＬＡＮアンテナ２０６、マイク２０７、ＡＤＣ（analog digital converter）２０８、３Ｇインタフェース２０９、３Ｇアンテナ２１０、カメラ２１１及び制御部２２０を備えている。
【００６１】
タッチパネルコントローラ２０２は、制御部２２０によって生成されたＧＵＩ（Graphical User Interface）を表示するようタッチパネル２０１を制御する。本実施形態において、制御部２２０は、テレビ１を操作するためのＧＵＩ要素（「ウィジェット」あるいは「コントロール」と呼称されることもある）により構成されたＧＵＩを生成する。ここで、ＧＵＩ要素とは、スイッチ、スライダ、ボタン、リスト、テキストフィールドなどのＧＵＩ部品のことを指す。また、タッチパネルコントローラ２０２は、タッチパネル２０１に表示されたＧＵＩ要素に対するユーザ操作（タップ操作やフリック操作など）を検出し、検出したユーザ操作の内容（どのＧＵＩ要素に対してどのようなユーザ操作が行われたか）を示す操作情報を制御部２２０に提供する。
【００６２】
アンプ２０４は、制御部２２０から供給された音声信号が表す音声を出力するようスピーカ２０３を駆動する。制御部２２０から供給される音声としては、通話音声に加えて、制御部２２０によって実行されるアプリケーションが生成する各種音声が挙げられる。タッチパネル２０１に表示されたＧＵＩ要素に対してユーザ操作が行われたときに、リモコンアプリケーションが生成する効果音もその一例である。
【００６３】
無線ＬＡＮインタフェース２０５は、無線ＬＡＮアンテナ２０６を用いて無線ルータ３との間でＩＥＥＥ８０２．１１シリーズに従った通信を行うための通信インタフェースである。テレビ１を遠隔操作するための通信、すなわち、制御コマンドの送信、及び、状態情報の受信は、この無線ＬＡＮインタフェース２０５によって行われる。
【００６４】
制御部２２０は、タッチパネル２０１に表示するＧＵＩを切り換える。また、タッチパネル２０１に表示されたＧＵＩに対するユーザ操作に応じて、無線ＬＡＮインタフェース２０５を用いてテレビ１に送信するコマンドを生成する。なお、制御部２２０については、参照する図面を代えて後で詳述する。
【００６５】
マイク２０７及びＡＤＣ２０８は、音声入力を行うための構成である。ユーザの声は、マイク２０７によって電気信号に変換され、更に、ＡＤＣ２０８によってデジタル信号に変換される。制御部２２０は、このデジタル信号を参照することによって音声通話機能及び文字入力機能を実現する。
【００６６】
３Ｇインタフェース２０９は、３Ｇアンテナ２１０を用いて基地局との間でＷ−ＣＤＭＡ又はＣＤＭＡ２０００に従った通信を行うための通信インタフェースである。回線事業者が提供するサービスであるデータ通信、及び音声通話のための通信は、この３Ｇインタフェース２０９によって行われる。
【００６７】
カメラ２１１は、例えば、ユーザの顔を撮影して撮影画像情報を生成する。なお、カメラ２１１には、例えば、ＣＣＤ（Charge Coupled Device）カメラを用いればよいが、これに限定されるものではない。
【００６８】
なお、制御部２２０は、ＣＰＵ（Central Processing Unit）、ＲＯＭ（Read Only Memory）、ＲＡＭ（Random Access Memory）等を備えて構成されており、ＲＯＭ、ＲＡＭ等に記録されているプログラムをＣＰＵが実行することにより、スマートフォン２の各部を制御する。
【００６９】
（制御部の構成）
次に、テレビ１及びスマートフォン２の制御部１２０及び制御部２２０について、図１を参照して説明する。図１は、制御部１２０及び制御部２２０の機能構成を示した機能ブロック図である。
【００７０】
図１に示すように、テレビ１の制御部１２０は、ユーザ識別情報受信部（ユーザ識別情報受信手段）１２１、ユーザ識別情報登録部１２２、記憶部１２３、状態通知部１２４、番組指定情報受信部（番組指定情報受信手段）１２５及び予約処理部１２６を備えている。また、スマートフォン２の制御部２２０は、ＧＵＩ表示部２２１、送信部（番組指定情報送信手段、ユーザ識別画像送信手段）２２２及びユーザ識別情報登録部２２３を備えている。
【００７１】
スマートフォン２のＧＵＩ表示部２２１は、タッチパネル２０１に表示するＧＵＩを、各操作に対応するＧＵＩに切り換えるよう、タッチパネルコントローラ２０２を制御する。例えば、ＧＵＩ表示部２２１は、リモコンアプリケーションを用いて、テレビ１を操作する場合、当該操作に対応するＧＵＩに切り換えるよう、タッチパネルコントローラ２０２を制御する。
【００７２】
送信部２２２は、タッチパネルコントローラ２０２から操作情報を取得すると、取得した操作情報に対応する制御コマンドを、無線ＬＡＮインタフェース２０５を介してテレビ１に送信する。制御コマンドとしては、例えば、予約処理を行うコマンド等である。また、送信部２２２は、ユーザ識別情報登録部２２３が登録したユーザ識別情報（個人情報）を、無線ＬＡＮインタフェース２０５を介してテレビ１に送信する。なお、ユーザ識別情報（個人情報）については後述する。
【００７３】
ユーザ識別情報登録部２２３は、タッチパネルコントローラ２０２からユーザが入力したユーザ識別情報を取得すると、取得したユーザ識別情報をアドレス帳に登録する。ユーザ識別情報登録部２２３の処理については後述する。
【００７４】
テレビ１のユーザ識別情報受信部１２１は、スマートフォン２から送信されたユーザ識別情報を、ＬＡＮインタフェース１１２を介して受信する手段である。ユーザ識別情報受信部１２１は、受信したユーザ識別情報をユーザ識別情報登録部１２２に供給する。
【００７５】
ユーザ識別情報登録部１２２は、ユーザ識別情報受信部１２１から供給されたユーザ識別情報を記憶部１２３に記録する。
【００７６】
番組指定情報受信部１２５は、ＬＡＮインタフェース１１２を介して受信した制御コマンドを受信する手段である。具体的には、スマートフォン２から送信された番組指定情報であって、ユーザ操作により選択された番組を指定する番組指定情報を受信する。
【００７７】
また、番組指定情報受信部１２５は、番組指定情報と共に、ユーザ操作を行ったユーザを識別するためのユーザ識別情報を、スマートフォン２から受信する。番組指定情報受信部１２５は、受信した番組指定情報およびユーザ識別情報を、予約処理部１２６に送信する。
【００７８】
予約処理部１２６は、番組指定情報に基づいて、番組の予約処理をおこなう。また、予約処理部１２６は、ユーザ識別情報から記憶部１２３に記録された個人情報データベースを検索し、予約を行ったユーザの顔写真を取得する。予約処理部１２６は取得した顔写真を、電子番組表の予約した番組のセル内に表示するよう映像処理部１０３を制御する。また、予約処理部１２６は、予約した番組の情報を記憶部１２３に記録する。
【００７９】
記憶部１２３は、個人情報データベースおよび予約重要度符号データベースを記録する。また、記憶部１２３は、予約した番組の情報を記録する。なお、個人情報データベースおよび予約重要度符号データベースについては後述する。記憶部１２３は、制御部１２０内に構成されてもよいし、制御部１２０とは別の構成としてもよい。
【００８０】
状態通知部１２４は、テレビ１の状態を示す状態情報を、ＬＡＮインタフェース１１２を介してスマートフォン２に送信する。これにより、スマートフォン２のＧＵＩ表示部２２１は、無線ＬＡＮインタフェース２０５を介して状態情報を受信すると、タッチパネル２０１に表示するＧＵＩを、受信した状態情報に対応するＧＵＩに切り換えるよう、タッチパネルコントローラ２０２を制御する。例えば、テレビ１に電子番組表が表示されたとき、状態通知部１２４は、電子番組表が表示されたことを示す状態情報をスマートフォン２に送信する。スマートフォン２のＧＵＩ表示部２２１は、電子番組表が表示されたことを示す状態情報を受信すると、電子番組表を操作するためのＧＵＩに切り換えるよう、タッチパネルコントローラ２０２を制御する。
【００８１】
（システム１０の動作）
次に、システム１０の動作について、図５を用いて説明する。図５は、システム１０におけるテレビ１およびスマートフォン２の予約処理の流れを示すシーケンス図である。
【００８２】
図５に示すように、まず、スマートフォン２を所有するユーザが、ユーザのユーザ識別情報（個人情報）をスマートフォン２に登録する処理を行うと、タッチパネルコントローラ２０２は、タッチパネル２０１に表示されたＧＵＩ要素に対するユーザ操作を検出し、検出したユーザ操作の内容を示す操作情報を制御部２２０に提供する。そして、制御部２２０のユーザ識別情報登録部２２３は、上記操作情報に基づき、ユーザの個人情報を、例えば、スマートフォン２が管理するアドレス帳に記録（登録する）（ステップＳ１。以下、単にＳ１とする）。ここで、本実施形態において、ユーザが登録するユーザ識別情報（個人情報）とは、ユーザのユーザ名、電話番号などであるが、これに限定されるものではなく、ユーザを特定するものであればよい。なお、ユーザは、当該個人情報をスマートフォン２が管理するアドレス帳に登録する構成であるとするが、本発明はこれに限定されるものではなく、アドレス帳以外のものであってもよい。
【００８３】
また、ユーザ識別情報登録部２２３は、スマートフォン２自体を他のスマートフォンと識別するための装置識別情報を、ユーザ名などユーザを特定する情報に関連付けて、ユーザ識別情報として管理する。装置識別情報としては、例えば、ＭＡＣ（Ｍｅｄｉａ  Ａｃｃｅｓｓ  Ｃｏｎｔｒｏｌ）アドレスおよびＳＩＭ（Ｓｕｂｓｃｒｉｂｅｒ  Ｉｄｅｎｔｉｔｙ  Ｍｏｄｕｌｅ）カード番号であるＩＣＣＩＤ（Ｉｎｔｅｇｒａｔｅｄ  Ｃｉｒｃｕｉｔ  Ｃａｒｄ  ＩＤ）等が挙げられる。
【００８４】
次に、ユーザがカメラ２１１を用いて当該ユーザの顔を撮影すると、ユーザ識別情報登録部２２３は、カメラ２１１から撮影画像情報（写真データ）を取得し、当該写真データの示す顔写真（ユーザ識別画像）をスマートフォン２に登録する（Ｓ２）。
【００８５】
その後、ユーザ識別情報登録部２２３は、ユーザの顔写真をユーザ識別情報関連付けて管理する（Ｓ３）。具体的には、ユーザ識別情報登録部２２３は、ユーザの顔写真を、ユーザ識別情報に関連付けて、アドレス帳に登録する。なお、アドレス帳に登録する顔写真は、予め撮影され、スマートフォン２に記録された画像であってもよいし、他の機器から供給された写真であってもよい。つまり、ユーザの顔写真は、他のユーザと識別するための画像であればよい。
【００８６】
尚、ユーザ識別情報登録部２２３は、例えば、ユーザ識別情報に当該ユーザの写真データを組み込み、当該写真データもユーザ識別情報（個人情報）として管理してもよい。
【００８７】
なお、ユーザ識別情報登録部２２３がユーザの個人情報および顔写真を登録するアドレス帳は、制御部２２０内に備えられたメモリ内に記録されてもよいし、制御部２２０とは別に備えられたメモリに記録されてもよい。
【００８８】
次に、送信部２２２は、無線ＬＡＮインタフェース２０５を介して、ユーザ識別情報登録部２２３にて登録された個人情報と顔写真（写真データ）とを、テレビ１に送信する（Ｓ４）。具体的には、送信部２２２は、無線ＬＡＮインタフェース２０５を介して、ユーザのユーザ名、電話番号、ＭＡＣアドレス、ＳＩＭカード番号等の個人情報と、当該個人情報に関連付けられた顔写真（写真データ）とを送信する。なお、送信部２２２は、写真データのみを送信するように構成されていてもよいが、このような場合であっても、当該写真データに関連付けられている個人情報のようなユーザを特定可能な情報も送信される。
【００８９】
次に、テレビ１のユーザ識別情報受信部１２１は、ＬＡＮインタフェース１１１を介してスマートフォン２から送信された個人情報と写真データとを受信する（Ｓ５）。具体的には、ユーザ識別情報受信部１２１は、ユーザのユーザ名、電話番号、ＭＡＣアドレス、ＳＩＭカード番号等の個人情報と、当該個人情報に関連付けられた写真データとを受信する。
【００９０】
そして、テレビ１のユーザ識別情報登録部１２２は、受信した個人情報と写真データとを用いて個人情報データベースを構築する（Ｓ６）。具体的には、ユーザ識別情報登録部１２２は、記憶部１２３に、受信した個人情報と、当該個人情報に関連付けられた顔写真（写真データ）とを記録する。
【００９１】
その後、ユーザがスマートフォン２を用いて番組の予約操作を行うと、スマートフォン２の送信部２２２は、無線ＬＡＮインタフェース２０５を介してユーザから入力された番組を予約する指示（予約指示）を、個人情報と共に、テレビ１に送信する（Ｓ７）。ここで、予約指示とは、テレビ１に表示された電子番組表に掲載された番組の何れかを選択するユーザ操作に応じて、当該ユーザ操作により選択された番組を指定する番組指定情報を含んだ指示であり、録画予約、視聴予約等の予約処理を指定する指示である。
【００９２】
その後、テレビ１の番組指定情報受信部１２５は、スマートフォン２から送信された予約指示を、ＬＡＮインタフェース１１２を介して受信する。そして、予約処理部１２６は、受信した予約指示に基づき、番組指定情報にて指定された番組の予約処理を行う（Ｓ８）。
【００９３】
また、予約処理部１２６は、スマートフォン２から送信された個人情報を用いて、個人情報データベースを検索し、当該予約が誰によって行われたのかを判別し、判別したユーザの顔写真を抽出する。そして、予約処理部１２６は、電子番組表に掲載された番組のうち、ユーザが指定した番組の番組欄に、予約が行われていることを示す情報と、当該予約を行ったユーザの顔写真とを表示するよう映像処理部１０３に指示する。映像処理部１０３は、予約処理部１２６の指示に従い、ＬＣＤ１０５に表示する映像を示す映像信号を生成し、ＬＣＤコントローラ１０４は、映像処理部１０３により処理された映像信号が表す映像を表示するべく、ＬＣＤ１０５を制御する（Ｓ９）。これにより、ＬＣＤ１０５に当該予約を行ったユーザの顔写真を表示させることができる。なお、ユーザの顔写真は、番組表内だけでなく、予約状況を示す予約状況表に表示してもよい。
【００９４】
（スマートフォン２のリモコン機能）
スマートフォン２上で動作するリモコンアプリケーションは、通常のテレビ１のリモコンと同様の機能が備えられている。そのため、ユーザはスマートフォン２をテレビ１のリモコンとして使用することができる。
【００９５】
（スマートフォン２のユーザ識別情報登録機能）
次に、図６を参照して、スマートフォン２におけるユーザ識別情報登録機能について説明を行う。
【００９６】
スマートフォン２の制御部２２０のＧＵＩ表示部２２１が、タッチパネル２０１にユーザのユーザ識別情報を登録する画面を表示すると、ユーザはユーザ名、電話番号等を登録することができる。なお、上述したように、本実施形態において、ユーザ識別情報は、アドレス帳の機能を用いて登録することとするが、本発明はこれに限定されるものではない。また、スマートフォン２には、当該スマートフォン２を所持している本人のユーザ識別情報だけでなく、当該スマートフォン２を利用可能なユーザのユーザ名、電話番号等も登録することができる。
【００９７】
ユーザがスマートフォン２に、当該スマートフォン２を所持しているユーザのユーザ識別情報および／または当該スマートフォン２を利用可能なユーザのユーザ識別情報を入力すると、ユーザ識別情報登録部２２３は、ユーザが入力したユーザ識別情報に、当該スマートフォン２におけるユーザを識別するための識別ＩＤを関連付けて、アドレス帳に記録する。
【００９８】
また、ユーザ識別情報登録部２２３は、スマートフォン２自体を他の通信機器（例えば、スマートフォン）と識別するための装置識別情報（例えば、ＭＡＣアドレス、ＳＩＭカード番号など）を記録したユーザ識別情報として記録する。
【００９９】
ユーザ識別情報登録部２２３がアドレス帳に登録したユーザ識別情報を図６に示す。図６は、ユーザ識別情報登録部２２３が登録したユーザ識別情報の一例を示す図である。図６には、３台のスマートフォン（スマートフォンＡ、スマートフォンＢ、スマートフォンＣ）のそれぞれに登録されたユーザ識別情報の一例を示している。図６におけるユーザ識別情報は、説明の便宜上、３行の表形式で示している。図６のユーザ識別情報の１行目は、識別ＩＤを示し、２行目は、ユーザの名前（ユーザ名）を示し、３行目はスマートフォン２の装置識別情報（ＭＡＣアドレスおよびＳＩＭカード番号）を示している。なお、図６において、装置識別情報のうち、ＭＡＣアドレスを括弧で囲んで表示し、ＭＡＣアドレスの後に続けてＳＩＭカード番号を表示している。
【０１００】
図６においては、スマートフォンＢおよびＣは、それぞれ、当該スマートフォンを利用しているユーザのみのユーザ識別情報を登録しているとする。図６に示すように、スマートフォンＢにおいて、ユーザ識別情報登録部２２３は、ユーザを識別する識別ＩＤとして「０１」をユーザ名「息子」に関連付けて登録している。また、当該スマートフォンＢの装置識別情報を、ユーザ名「息子」に関連付けて登録している。
【０１０１】
同様に、スマートフォンＣにおいて、ユーザ識別情報登録部２２３は、識別ＩＤ「０１」と、ユーザ名「娘」と当該スマートフォンＣの装置識別情報とを関連付けて登録している。
【０１０２】
また、スマートフォンＡにおいて、ユーザ識別情報登録部２２３は、識別ＩＤ「０１」と、ユーザ名「本人（父）」と当該スマートフォンＡの装置識別情報とを関連付けて登録し、識別ＩＤ「０２」と、ユーザ名「母」と当該スマートフォンＡの装置識別番号とを関連付けて登録している。なお、スマートフォンＡのように、ユーザ識別情報登録部２２３が登録しているユーザ識別情報が２以上の場合、スマートフォンＡの装置識別番号は同じ番号になってしまう。そのため、ユーザ識別情報登録部２２３は、図６に示すように装置識別番号の末尾に枝番をつけて登録する。図６においては、１９桁のＳＩＭカード番号（例えば、８９８１＊＊＊＊＊＊＊＊＊＊＊＊＊１＊（＊は、０〜９の数字））に枝番（例えば、”−０１”）をつけて登録している。したがって、枝番が付与された装置識別番号だけでも、ユーザを特定することができる。
【０１０３】
なお、図６では、ＳＩＭカード番号のみに枝番を付している例を挙げたが、枝番は、ＭＡＣアドレスに付してもよい。また、枝番は、２桁の数字で表しているが、これに限定されず、任意の桁数であってもよい。また、枝番は、アルファベットや記号等を用いて表してもよい。つまり、枝番は、当該枝番が付された装置識別番号が一意となるような番号（識別子）であればよい。このような識別子によって、例えば、スマートフォンＡを操作するユーザを、当該スマートフォンＡを操作する他のユーザと識別することができる。
【０１０４】
また、ユーザ識別情報登録部２２３は、各ユーザを特定するためのユーザ識別画像（例えば、ユーザの顔写真）を登録したユーザ識別情報に関連付けて登録する。なお、スマートフォン２は、ユーザがユーザ識別情報を入力する際に、例えば、ユーザに顔写真を登録するよう促す写真登録用画面を表示し、ユーザ識別情報の登録時に顔写真も登録する構成であってもよい。また、ユーザ識別情報として登録する顔写真は、予めスマートフォン２に格納されている顔写真であってもよいし、新しく撮影した顔写真であってもよい。
【０１０５】
なお、図６では、識別ＩＤを２桁の数字で表したが、本発明はこれに限定されず、任意の桁数であってもよい。また、数字だけでなく、アルファベットや記号等を用いて表してもよい。
【０１０６】
また、図６に示す情報以外にも、例えば、電話番号、メールアドレスなどをユーザ識別情報として登録することができる。
【０１０７】
また、ユーザ識別情報登録部２２３は、例えば、既にアドレス帳に登録されている複数のユーザのうち、ユーザを特定する写真（例えば、ユーザの顔写真）がスマートフォン２内に記録されている場合、ユーザのユーザ識別情報と、顔写真とを関連付けてアドレス帳に記録させてもよい。アドレス帳に既に登録されているデータを用いることにより、簡単にユーザ識別情報と顔写真とを管理することができる。
【０１０８】
（テレビ１のユーザ識別情報登録機能）
次に、図７を参照して、テレビ１におけるユーザ識別情報登録機能について説明を行う。
【０１０９】
テレビ１の制御部１２０のユーザ識別情報受信部１２１は、スマートフォン２から送信されたユーザ識別情報（個人情報）と当該ユーザ識別情報に関連付けられた写真データ（顔写真）とを、ＬＡＮインタフェース１１２を介して受信する。そして、テレビ１のユーザ識別情報登録部１２２は、ユーザ識別情報受信部１２１が受信したユーザ識別情報および写真データを記憶部１２３に登録する。
【０１１０】
ユーザ識別情報登録部１２２が登録したユーザ識別情報（個人情報データベース）を図７に示す。図７は、ユーザ識別情報登録部１２２が登録したユーザ識別情報の一例を示す図である。図７では、図６に示した３台のスマートフォン（スマートフォンＡ、スマートフォンＢ、スマートフォンＣ）のそれぞれからユーザ識別情報が送信された場合において、ユーザ識別情報登録部１２２が登録したユーザ識別情報を示している。図７におけるユーザ識別情報は、説明の便宜上、３行の表形式で示している。図７のユーザ識別情報の１行目は、テレビ１におけるユーザを識別するための識別ＩＤを示し、２行目は、ユーザの名前（ユーザ名）を示し、３行目はスマートフォン２の装置識別番号（ＭＡＣアドレスおよびＳＩＭカード番号）を示している。なお、図７では、図６と同様に、装置識別番号のうち、ＭＡＣアドレスを括弧で囲んで表示し、ＭＡＣアドレスの後に続けてＳＩＭカード番号を表示している。
【０１１１】
図７に示すように、テレビ１において、ユーザ識別情報登録部１２２は、スマートフォンＡから送信されたユーザ名「本人（父）」および枝番が付与されたスマートフォンＡの装置識別番号に、識別ＩＤ「０１」を関連付けて管理し、ユーザ名「母」および枝番が付与されたスマートフォンＡの装置識別番号を識別ＩＤ「０２」に関連付けて管理している。また、ユーザ識別情報登録部１２２は、スマートフォンＢから送信されたユーザ名「息子」およびスマートフォンＢの装置識別番号に、識別ＩＤ「０３」を関連付けて管理し、スマートフォンＣから送信されたユーザ名「娘」およびスマートフォンＣの装置識別番号に、識別ＩＤ「０４」を関連付けて管理している。
【０１１２】
また、ユーザ識別情報登録部１２２は、スマートフォン２から送信された写真データであって、ユーザ識別情報に関連付けられた写真データも、当該写真データに関連付けられたユーザ識別情報に関連付けて管理する。
【０１１３】
なお、図７では、識別ＩＤを２桁の数字で表したが、本発明はこれに限定されず、任意の桁数であってもよい。また、数字だけでなく、アルファベットや記号等を用いて表してもよい。
【０１１４】
また、ユーザ識別情報登録部１２２は、図７に示したユーザ識別情報以外にも、各スマートフォンから送信された情報（例えば、電話番号、メールアドレス等）もユーザ識別情報として管理してもよい。
【０１１５】
スマートフォン２を用いて番組を予約する際に、スマートフォン２から送信された、ユーザを識別するためのユーザ識別情報を受信することにより、テレビ１は、当該予約が誰によって行われたかを特定することができる。
【０１１６】
なお、図７に示すユーザ識別情報は、ユーザ識別情報登録部１２２によって、個人情報データベースとして、記憶部１２３に登録されている。このように、個人情報データベースは、スマートフォン２が管理するアドレス帳に登録されたユーザ識別情報を用いて構築することができる。そのため、簡単に上記個人情報データベースを構築することができる。
【０１１７】
また、テレビ１は、ユーザを識別するための画像として、スマートフォン２から送信された顔画像を用いるため、テレビ１がユーザを識別するための画像やマークを作成するといった処理を削減することができる。
【０１１８】
また、テレビ１がユーザを識別するための画像やマークを作成する場合、テレビ１が作成可能なマークの数に制限がある場合がある。しかし、本実施形態におけるテレビ１は、ユーザを識別するための画像として、スマートフォン２から送信された顔画像を用いるため、上記制限を考慮することなく、テレビ１のユーザの顔画像を登録することができる。
【０１１９】
（テレビ１における電子番組表の表示例）
次に、図８および図９を参照して、テレビ１に表示される電子番組表であって、予約処理が行われた後の電子番組表の表示例について説明する。図８および図９は、テレビ１に表示される電子番組表であって、予約処理が行われた後の電子番組表の一例を示す図である。
【０１２０】
図５のＳ９にて、ＬＣＤ１０５に表示された電子番組表は、図８に示すように、ユーザが予約した番組が、ユーザに簡単に認識できるように表示されている。図８に示すように、予約された番組が「（再）ドラマ  楽園」であるとき、テレビ１は、当該番組を示すセルの色を変えて表示する。また、当該セル内に、当該番組を予約したユーザを特定する写真（例えば、ユーザの顔写真）を表示する。なお、図８においては、顔写真を顔のマークで示している。このときセル内に表示される顔写真は、ユーザ識別情報登録部１２２によって、個人情報データベースに登録された顔写真である。
【０１２１】
また、図９に示すように、テレビ１は、図８に示した電子番組表と共に、予約された番組の一覧を示す予約リストをＬＣＤ１０５に表示してもよい。図９では、テレビ１は、電子番組表の左側に予約リストを表示している。予約リストには、予約された番組を示す情報が一覧表示されている。テレビ１は、この予約リストに表示された各番組の欄の一角に、当該番組を予約したユーザを特定する写真（例えば、ユーザの顔写真）を表示してもよい。
【０１２２】
なお、図８および図９において、ユーザの顔写真が表示される場所はこれに限定されるものではなく、表示された顔写真が示すユーザによって予約された番組であることがわかる場所であればよい。
【０１２３】
（予約重要度符号について）
本実施形態において、ユーザは、予約した番組の重要度を設定することができる。このとき、テレビ１は、ユーザが予約した番組の重要度をユーザが容易に把握できるようにＬＣＤ１０５に表示する。これについて、図８から図１０を参照して説明を行う。
【０１２４】
ユーザが番組の予約の処理を行う際に、予約した番組の予約重要度を指定すると、スマートフォン２は、予約重要度を示す情報（予約重要度情報）を含んだ番組指定情報をテレビ１に送信する。テレビ１の予約処理部１２６は、予約重要度情報を受信すると、記憶部１２３に予め記録された予約重要度符号データベースを参照し、受信した予約重要度情報に該当する予約重要度（ランク）符号を抽出する。
【０１２５】
ここで予約重要度符号について、図１０を参照して説明する。図１０は、予約重要度符号データベースの一例を示す図である。
【０１２６】
図１０に示すように、予約重要度は、１〜５のランクに分けられており、それぞれ、「重要」、「必見」、「大好き」、「好き」、「普通」に分類されている。スマートフォン２から送信された予約重要度情報は、図１０に示す１〜５のランクを示す情報である。スマートフォン２から送信された予約重要度情報がランク１を示す情報であるとき、予約処理部１２６は、予約重要度符号データベースより、花の符号を抽出する。そして、予約処理部１２６は、電子番組表内のユーザが予約した番組に抽出した予約重要度符号を表示させる。このように、テレビ１は、予約した番組に予約重要度符号を付して表示することにより、当該番組の重要度を容易にユーザに把握させることができる。
【０１２７】
図８および図９に、予約重要度符号の表示例を示す。図８および図９に示すように、テレビ１は、電子番組表内における予約した番組のセル内および予約リストの各番組の欄内に表示されたユーザの顔写真の横に予約重要度符号を表示している。
【０１２８】
なお、図８および図９において、予約重要度符号が表示される場所はこれに限定されるものではなく、当該重要度符号を付された番組が、予約された番組であることがわかる場所であればよい。
【０１２９】
（スマートフォン２におけるユーザ識別情報の送信について）
スマートフォン２の送信部２２２は、ユーザ識別情報と、当該ユーザ識別情報に関連付けられた写真データとを、１件ずつテレビ１に送信してもよいし、まとめてテレビ１に送信してもよい。例えば、図６に示すように、２件のユーザ識別情報が登録されているスマートフォンＡの場合、１件ずつテレビ１に送信してもよいし、２件をまとめて送信してもよい。
【０１３０】
（ユーザの特定処理について）
スマートフォン２の送信部２２２が予約指示をテレビ１に送信する際、スマートフォン２は、当該予約指示のユーザ操作を行ったユーザのユーザ識別情報もテレビ１に送信する。このとき、当該予約を行うユーザがスマートフォン２を所有しているユーザでない場合、どのユーザであるかを指定する。
【０１３１】
例えば、図６におけるスマートフォンＡの所有者のユーザ名が「本人（父）」であり、番組の予約を行うユーザのユーザ名が「母」であるとき、番組の予約を行うユーザは、ユーザ名が「母」であることを指定して予約の処理を行う。これにより、スマートフォン２は、予約指示をテレビ１に送信する際、図６のユーザ名「母」に関連付けられたスマートフォンＡの装置識別情報を送信する。つまり、図６の例では、ＳＩＭカード番号に枝番を付した、「８９８１＊＊＊＊＊＊＊＊＊＊＊＊＊１＊−２」を送信する。
【０１３２】
なお、スマートフォン２は、ユーザがユーザ名の指定を行わずに予約処理を行うと、当該スマートフォン２の所有者のユーザ名に関連付けられた装置識別情報であって、枝番が付加された装置識別情報を、テレビ１に送信する。
【０１３３】
テレビ１は、受信した装置識別情報を基に、個人情報データベースを参照し、予約を行ったユーザを特定する。上記例において、「８９８１＊＊＊＊＊＊＊＊＊＊＊＊＊１＊−２」の装置識別情報を受信すると、テレビ１は、予約を行ったユーザが、ユーザ名「母」のユーザであることを特定する。これにより、テレビ１は、電子番組表における予約した番組のセルに、ユーザ名「母」の顔写真を表示することができる。
【０１３４】
このように、１つスマートフォン２に複数のユーザのユーザ識別情報が登録されていても、装置識別情報に枝番をつけて管理することにより、１つのスマートフォン２を用いて複数のユーザが予約処理を行うことができる。よって、テレビ１は、予約を行ったユーザの顔写真を表示させることができる。
【０１３５】
なお、上記例では、枝番が付加された装置識別情報をテレビ１に送信することについて説明を行ったが、本発明はこれに限定されず、スマートフォン２に登録されたユーザ識別情報の全てを送信してもよいし、ユーザ識別情報のうちユーザを一意に特定可能な情報のみを送信してもよい。例えば、スマートフォン２の送信部２２２は、枝番が付されたＳＩＭカード番号のみを送信してもよいし、枝番が付されたＭＡＣアドレスのみを送信してもよいし、少なくとも一方に枝番が付されたＳＩＭカード番号およびＭＡＣアドレスを送信してもよい。
【０１３６】
以上のように、本実施形態におけるテレビ１の番組指定情報受信部１２５は、電子番組表に掲載された番組の何れかを選択するユーザ操作に応じて、テレビ１を遠隔制御するスマートフォン２から送信される番組指定情報であって、当該ユーザ操作により選択された番組を指定する番組指定情報を、スマートフォン２から送信されるユーザ識別情報であって、当該ユーザ操作を行ったユーザを他のユーザと識別するためのユーザ識別情報と共に受信する。また、テレビ１のユーザ識別情報受信部１２１は、スマートフォン２から送信される顔画像（ユーザ識別画像）であって、上記ユーザ操作を行ったユーザを他のユーザと識別するための顔画像を、上記ユーザ識別情報と関連付けて受信する。そして、映像処理部１０３は、電子番組表内の上記番組指定情報により指定された番組に関連付けて、上記番組指定情報と共に受信したユーザ識別情報に関連付けられた顔画像を、電子番組表に表示する。
【０１３７】
また、本実施形態におけるスマートフォン２の送信部２２２は、電子番組表に掲載された番組の何れかを選択するユーザ操作に応じて、当該ユーザ操作により選択された番組を指定する番組指定情報を、当該ユーザ操作を行ったユーザを他のユーザと識別するためのユーザ識別情報と共に上記電子番組表表示装置に送信する。また、送信部２２２は、上記ユーザ操作を行ったユーザを他のユーザと識別するための画像として、スマートフォン２に予め登録されたユーザ識別画像を、上記ユーザ識別情報と関連付けてテレビ１に送信する。
【０１３８】
これにより、例えば、電子番組表に表示された番組のうち、ユーザが指定した番組を録画予約する場合、テレビ１は、スマートフォン２から送信されたユーザ識別画像であって、当該番組を指定したユーザを識別するユーザ識別画像を電子番組表におけるユーザが指定した番組に関連付けて表示することができる。
【０１３９】
したがって、当該番組を指定したユーザを容易にユーザに把握させることができるという効果を奏する。
【０１４０】
（電子番組表に顔写真を表示する処理の変形例）
なお、本実施形態では、ユーザ識別情報および当該ユーザ識別情報に関連付けられた顔写真は、予約処理を行う前に送信される例について説明を行ったが、本発明はこれに限定されない。ユーザ識別情報および当該ユーザ識別情報に関連付けられた顔写真は、予約処理を行う際に、テレビ１に送信されてもよい。これにより、テレビ１は、予約指示を受信した際に受信した写真を、当該予約を行ったユーザとして電子番組表に表示させることができる。
【０１４１】
また、例えば、テレビ電話を行うことが可能なアプリケーション等が搭載されたテレビのように、テレビ１にカメラが搭載されている場合、ユーザがスマートフォン２を用いてテレビ１の電源を入れたとき、または、人感センサなどによってテレビ１を利用しているユーザを検出したとき、当該カメラがテレビ１を操作するユーザを撮影し、当該スマートフォン２の装置識別番号と関連付けて撮影したユーザの写真を個人情報データベースに登録してもよい。そして、テレビ１は、ユーザが予約を行ったとき、テレビ１に搭載のカメラで撮影した写真を、当該予約を行ったユーザとして電子番組表に表示させてもよい。
【０１４２】
（自動フォルダ作成機能、フォルダ分け機能）
テレビ１の制御部１２０は、個人情報データベースに記録されたユーザの電話番号およびユーザ名から自動で各ユーザのフォルダを作成する機能を有していてもよい。なお、本実施形態においては、電話番号およびユーザ名を用いて、各ユーザのフォルダを作成することを例に説明を行うが、本発明はこれに限定されず、装置識別情報を用いて、各ユーザのフォルダを作成してもよい。
【０１４３】
テレビ１は、ユーザによって録画予約が行われた場合、録画予約したユーザを電話番号または装置識別情報から特定し、録画された番組を特定したユーザのフォルダに記録する。
【０１４４】
また、テレビ１は、ユーザごとではなく、装置識別情報を用いてスマートフォン２ごとにフォルダを作成してもよい。そして、テレビ１は、ユーザによって録画予約が行われた場合、録画された番組を録画予約が行われたスマートフォン２のフォルダに記録する。
【０１４５】
このように、テレビ１は、自動で各ユーザのフォルダまたは各スマートフォン２のフォルダを作成する機能と、作成したフォルダに自動的に録画された番組を振り分ける機能を有している。
【０１４６】
従来のテレビでユーザのフォルダを作成する場合、スマートフォン２やリモコン等を用いて、フォルダの作成、フォルダ名の入力、当該フォルダのスマートフォン２との対応付けなどの処理が必要となり、手間がかかってしまう。しかし、上記機能を有することにより、テレビ１は、各ユーザまたは各スマートフォンに対応するフォルダを簡単に作成することができる。したがって、１台のテレビ１を複数人で使用する場合における利便性が向上する。
【０１４７】
（削除制限機能）
テレビ１の制御部１２０は、予約した番組のキャンセル（削除）および録画した番組の削除を、予約指示を行ったスマートフォン２からの指示のみ受け付ける構成を有していてもよい。つまり、番組の予約指示をテレビ１に送信したスマートフォン２がスマートフォンＢであり、当該番組の予約のキャンセルの指示をテレビ１に送信したスマートフォン２がスマートフォンＣ（スマートフォンＢとは異なるスマートフォン）である場合、テレビ１は、当該番組の予約のキャンセルを受け付けない。このとき、各スマートフォンの認証は、スマートフォン２のユーザ識別情報を用いて行われる。
【０１４８】
なお、テレビ１は、予約した番組のキャンセル（削除）および録画した番組の削除を、予約指示を行ったユーザからの指示のみ受け付けるように構成されていてもよい。また、他のスマートフォン２または他のユーザからの削除指示を受け付けるか否かを録画予約時に設定可能な構成であってもよい。
【０１４９】
上記構成により、１台のテレビ１を複数人で使用する場合における利便性が向上する。
【０１５０】
（お勧め番組特定機能）
テレビ１の制御部１２０は、個人情報データベースに格納されたユーザ識別情報（ユーザ名、電話番号等）に関連付けて、当該ユーザがスマートフォン２を用いて送信した番組指定情報に従ってテレビ１が予約処理を行った番組（予約済番組）を管理し、当該予約済番組からユーザの好みの番組および視聴頻度の高い番組（以降、お勧め番組と呼ぶ）を特定する機能を有していてもよい。
【０１５１】
このように、スマートフォン２から送信された番組指定情報を用いて、お勧め番組を特定することができるため、テレビ１はお勧め番組を容易にユーザに提供することができる。
【０１５２】
また、テレビ１は、お勧め番組を一覧表示するように構成されていてもよい。また、お勧め番組の一覧に含まれる各番組に関連付けて、当該番組を勧めるユーザの顔写真を表示してもよい。これにより、テレビ１は、ユーザに対し、どのユーザに対するお勧め番組かを一目で把握させることができる。
【０１５３】
（予約漏れ通知機能（１））
テレビ１の制御部１２０は、ユーザの好みの番組および視聴頻度の高い番組を特定する機能（お勧め番組特定機能）に加え、当該お勧め番組が予約済みか否かを確認し、予約されていない場合、事前（例えば、一日前）に当該ユーザに予約されていないことを示す通知を送信する機能を有していてもよい。
【０１５４】
お勧め番組の予約が記憶部１２３に記録されていない場合、状態通知部１２４は、お勧め番組の予約がされていないことを示す通知を、ＬＡＮインタフェース１１２を介して、スマートフォン２に送信する。なお、予約がされていないことを示す通知は、メールで行われてもよいし、電話を掛けることによって行われてもよい。
【０１５５】
これにより、ユーザはどこにいても予約漏れを把握することができる。
【０１５６】
（予約漏れ通知機能（２））
テレビ１の制御部１２０は、お勧め番組が予約済みか否かを確認し、予約されていないときに、当該お勧め番組が放送されている時間帯にユーザが違う番組を見ているか否かを確認し、違う番組を見ている場合、テレビ１のＬＣＤ１０５の一角にお勧め番組が放送中であることを示す通知を表示させる機能を有していてもよい。
【０１５７】
これにより、ユーザは、容易にお勧め番組が放送中であることを把握することができる。
【０１５８】
（予約漏れ通知機能（３））
テレビ１の制御部１２０は、お勧め番組が予約済みか否かを確認し、予約されていないときに、当該お勧め番組が放送されている時間帯にユーザが違う番組を見ているか否かを確認し、違う番組を見ている場合、テレビ１に映像を２画面表示し、一方の画面に、現在視聴中のチャンネルを表示し、他方の画面に、お勧め番組を表示させる機能を有していてもよい。
【０１５９】
これにより、ユーザがお勧め番組を見逃すことを防ぐことができる。
【０１６０】
（ユーザ識別情報自動入力機能）
近年のテレビでは、インターネットを介して、名前や電話番号等のユーザ識別情報を入力することで、様々なデータ放送コンテンツを利用することが可能である。本実施形態におけるテレビ１は、ユーザを指定することにより、当該テレビ１に登録されたユーザのユーザ識別情報を、データ放送コンテンツの入力画面に、自動的に入力する機能を有していてもよい。
【０１６１】
例えば、データ放送コンテンツを表示する「ｄ」ボタンを押下することにより、テレビ１には、データ放送コンテンツが表示される。例えば、名前および電話番号を入力することで、クイズへの参加やプレゼントの応募が可能なデータ放送コンテンツがテレビ１に表示されたとき、ユーザがクイズへの参加またはプレゼントへの応募をするユーザを、個人情報データベースに登録されたユーザから選択することにより、テレビ１は、データ放送コンテンツにユーザ識別情報を入力する。これにより、簡単にユーザ識別情報をデータ放送コンテンツの画面に入力することができる。
【０１６２】
（遠隔操作機能）
本発明におけるシステム１０は、スマートフォン２が、インターネットを介して、テレビ１を遠隔操作可能に構成されている。このとき、スマートフォン２は、テレビ１に対し、操作指示と共にユーザ識別情報を送信する。テレビ１は操作指示と共に受信しユーザ識別情報と、個人情報データベースに格納されたユーザ識別情報とを照合し、テレビ１を操作可能なスマートフォン２か否かを確認する。テレビ１は、操作指示を送信したスマートフォン２が、当該テレビ１を操作可能なスマートフォン２であることを確認したとき、当該操作指示に従った動作を行う。
【０１６３】
また、このとき、予約や選局などの操作だけでなく、テレビ１の設定の変更などもスマートフォン２上で行うことができる。
【０１６４】
更に、テレビ１は、ユーザのお勧め番組が予約済みか否かを確認し、予約されていない場合、事前（例えば、一日前）に当該ユーザに予約されていないことを示す通知を、インターネットを介して送信する機能を有していてもよい。なお、予約がされていないことを示す通知は、メールで行われてもよいし、電話を掛けることによって行われてもよい。
【０１６５】
また、スマートフォン２は、上記通知を行ったとき、インターネットを介して、テレビ１を遠隔操作することにより、当該お勧め番組の予約を行うことができる機能を有していてもよい。
【０１６６】
（その他の機能）
テレビ１は、個人情報データベースに登録されたユーザの顔写真と、番組に出演する出演者の顔とを入れ替えて表示する等の機能を有していてもよい。
【０１６７】
また、スマートフォン２はユーザ識別情報として、ユーザの住所をテレビ１に送信し、テレビ１は、受信した住所をユーザのユーザ識別情報として管理してもよい。そして、テレビ１は管理しているユーザ識別情報に含まれる住所から、当該テレビの地域設定を行う機能を有していてもよい。
【０１６８】
なお、本実施形態におけるテレビジョン受像機（電子番組表表示装置）は、内蔵されたディスプレイに電子番組表を表示する構成であることを例に説明を行ったが、本発明はこれに限定されない。本発明におけるテレビジョン受像機は、例えば、接続されたディスプレイに電子番組表を表示するテレビジョン受像機であってもよい。また、テレビジョン受像機ではなく、接続されたディスプレイに電子番組表を表示するレコーダであってもよい。
【０１６９】
〔プログラム、記録媒体〕
テレビ１およびスマートフォン２の各ブロックは、集積回路（ＩＣチップ）上に形成された論理回路によってハードウェア的に実現してもよいし、ＣＰＵ（Central Processing Unit）を用いてソフトウェア的に実現してもよい。
【０１７０】
後者の場合、テレビ１およびスマートフォン２は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアであるテレビ１およびスマートフォン２の制御プログラムのプログラムコード（実行形式プログラム、中間コードプログラム、ソースプログラム）をコンピュータで読み取り可能に記録した記録媒体を、テレビ１およびスマートフォン２に供給し、そのコンピュータ（またはＣＰＵやＭＰＵ）が記録媒体に記録されているプログラムコードを読み出し実行することによっても、達成可能である。
【０１７１】
上記記録媒体としては、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ（登録商標）／フラッシュＲＯＭ等の半導体メモリ類、あるいはＰＬＤ（Programmable logic device）やＦＰＧＡ（Field Programmable Gate Array）等の論理回路類などを用いることができる。
【０１７２】
また、上記プログラムコードは、通信ネットワークを介してテレビ１およびスマートフォン２に供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が使用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも使用可能である。
【０１７３】
なお、本発明は上述した実施形態に限定されるものではなく、請求項に示した範囲で種々の変更が可能である。
【産業上の利用可能性】
【０１７４】
本発明は、テレビジョン受信機を操作するスマートフォン等の情報端末、及び、スマートフォン等の情報端末により操作されるテレビに適用することができる。なお、本発明の適用範囲は、スマートフォンに限定されず、タブレット型ＰＣや電子ブックリーダなど、タッチパネルを有する任意の情報端末を含む。また、本発明の適用範囲は、テレビジョン受像機に限定されず、接続されたディスプレイに電子番組表を表示するレコーダ等を含む。
【符号の説明】
【０１７５】
１  テレビ（電子番組表表示装置）
１０１  チューナ
１０２  ビデオデコーダ
１０３  映像処理部（電子番組表表示手段、一覧表示手段）
１０４  ＬＣＤコントローラ
１０５  ＬＣＤ
１０６  オーディオデコーダ
１０７  音声処理部
１０８  アンプ
１０９  スピーカ
１１０  ＨＤＭＩレシーバ
１１１  電源部
１１２  ＬＡＮインタフェース
１２０  制御部
１２１  ユーザ識別情報受信部（ユーザ識別情報受信手段）
１２２  ユーザ識別情報登録部
１２３  記憶部
１２４  状態通知部
１２５  番組指定情報受信部（番組指定情報受信手段）
１２６  予約処理部
２  スマートフォン（携帯型情報端末）
２０１  タッチパネル
２０２  タッチパネルコントローラ
２０３  スピーカ
２０４  アンプ
２０５  無線ＬＡＮインタフェース
２０６  無線ＬＡＮアンテナ
２０７  マイク
２０８  ＡＤＣ
２０９  ３Ｇインタフェース
２１０  ３Ｇアンテナ
２１１  カメラ
２２０  制御部
２２１  ＧＵＩ表示部
２２２  送信部（番組指定情報送信手段、ユーザ識別画像送信手段）
２２３  ユーザ識別情報登録部
【図１】
2014003552.tif 000003
【図２】
2014003552.tif 000004
【図３】
2014003552.tif 000005
【図４】
2014003552.tif 000006
【図５】
2014003552.tif 000007
【図６】
2014003552.tif 000008
【図７】
2014003552.tif 000009
【図８】
2014003552.tif 000010
【図９】
2014003552.tif 000011
【図１０】
2014003552.tif 000012